(57)【要約】      （修正有）【課題】給水配管の漏水箇所の特定が困難な場合において、給水配管の改修工事の時間短縮が図れ、工事費の低減も可能なプラグ付水栓継手を提供する。【解決手段】プラグ付水栓継手１０の胴部Ａの一端部に、水栓継手１６から取り外した吐出水栓１５を連通する水栓側開口１０ａを形成し、かつその胴部Ａの他端部に、新設の給水配管を連通する配管側開口１０ｂを形成するとともに、その胴部Ａに、吐出水栓１５を外した水栓継手１６の開口を塞ぐ止水プラグ２０を突設する。吐出水栓１５が水栓継手１６を介して連通された既設の給水配管を放置し、プラグ付水栓継手１０を別の給水配管を新設する配管改修工事に利用する。【選択図】図１
0003198278.tif 000002
【実用新案登録請求の範囲】
【請求項１】
吐出水栓が水栓継手を介して連通された既設の給水配管を放置し、かつ別の給水配管を新設する配管改修工事の際に利用されるプラグ付水栓継手であって、
胴部の一端部に前記水栓継手から外した吐出水栓を連通する水栓側開口が形成され、かつ前記胴部の他端部に前記別の給水配管を連通する配管側開口が形成されるとともに、前記胴部に前記吐出水栓を外した水栓継手の開口を塞ぐ止水プラグが突設されたプラグ付水栓継手。
【請求項２】
前記プラグ付水栓継手は、前記胴部の屈曲部に前記止水プラグが突設されたエルボ、前記胴部の長さ方向の中間部に前記止水プラグが突設されたソケット、前記胴部が有する３つの端部の何れか１つの開口に、前記止水プラグの一端部が挿着されたチーズのうち、何れか１つである請求項１に記載のプラグ付水栓継手。
【考案の詳細な説明】
【技術分野】
【０００１】
この考案は、プラグ付水栓継手、詳しくは吐出水栓用の給水配管に水漏れが発生したとき、その改修工事に利用されるプラグ付水栓継手に関する。
【背景技術】
【０００２】
例えば庭や公園などには、花や木に給水するために水栓柱が設置されているところが多い。この水栓柱は、地中に下端部が埋め込まれる筒状支柱と、筒状支柱の内部空間に収納される垂直パイプと、筒状支柱の上端部の側面から突出される吐出水栓と、垂直パイプの上端部と吐出水栓とを連通する水栓継手と、地中に埋設されて垂直パイプに水（水道水）を導入する給水配管と、垂直パイプの下端部と給水配管とを連通する配管継手とを備えている。
従来の水栓継手としては、例えば、特許文献１の「水栓柱」に開示された一般的なエルボやソケットなどが知られている。
【先行技術文献】
【特許文献】
【０００３】
【特許文献１】特開２０１１−１７９２７０号公報
【考案の概要】
【考案が解決しようとする課題】
【０００４】
ところで、長年地中に埋設された給水配管は、老朽化してその一部が腐食し、漏水を起こすことがある。その際には、地面を掘って給水配管を露出して漏水個所の特定を行い、その後、この箇所に漏れ止めの処置がなされる。しかしながら、漏水箇所の特定は難しく、給水配管の略全長にわたって地面を掘り起こさなければならない場合も多々ある。その際には、補修作業に手間がかかり、工事費も高騰していた。
このような課題は、キッチンやバスルームなどの吐出水栓に給水するため、建物の壁、床や天井の中に配管された給水配管についても同様であった。すなわち、建物の壁、床や天井の一部を埋め込み配管に沿って壊しながら漏水箇所を探していた。なお、壁を壊さない改修方法として、例えば壁の表面に沿って給水配管を新しく設け、この給水配管に新しい水栓継手を介して吐出水栓を連通するとともに、既設の水栓継手の開口を単体の止水プラグで塞ぎ、かつ壁に現出した吐出水栓の取り付け穴をコ―キング材で埋める方法が考えられる。しかしながら、この方法によれば補修後の壁のデザイン性が低下し、作業工程数も増加するとともに、止水プラグおよび水栓継手の両方が必要となる。
【０００５】
そこで、考案者は鋭意研究の結果、このように給水配管の漏水箇所を容易に発見できない場合には、漏水した給水配管を放置して別の給水配管を新設し、その際、水栓継手から外した吐出水栓と新設の給水配管とをプラグ付水栓継手によって連通し、プラグ付水栓継手の止水プラグにより水栓継手の開口を塞ぐようにすれば、上述した課題はすべて解消されることを知見し、この考案を完成させた。
【０００６】
この考案は、給水配管の漏水箇所の特定が困難な場合において、給水配管の改修工事の時間短縮が図れ、工事費の低減が可能なプラグ付水栓継手を提供することを目的としている。
【課題を解決するための手段】
【０００７】
請求項１に記載の考案は、吐出水栓が水栓継手を介して連結された既設の給水配管をそのまま放置し、別の給水配管を新設し、この別の給水配管に吐出水栓を連結することにより、同じ場所に吐出水栓を設ける配管改修工事に使用されるプラグ付水栓継手であって、胴部の一端部に前記吐出水栓が取り付けられる水栓側開口が、胴部の他端部に前記別の給水配管が接続される配管側開口がそれぞれ形成されるとともに、前記吐出水栓が取り外された水栓継手の開口を塞ぐ止水プラグがこの胴部から突設されたプラグ付水栓継手である。
【０００８】
請求項１に記載の考案によれば、例えば風呂場などでの給水配管の漏水箇所の特定が困難な場合、壁に埋設された給水配管を掘り出して漏水個所を特定し、これを塞ぎ、埋め戻すのではなく、漏水した給水配管はそのまま残存・放置して、別の給水配管（壁などから露出した配管）を新設する。そして、吐出水栓を取り外した水栓継手（既存の給水配管の開口）を止水プラグにより塞ぎ、この取り外した吐出水栓を胴部の水栓側開口に連結・接続するとともに、新設の給水配管を、胴部の配管側開口に接続する。
これにより、給水配管の漏水箇所の特定が困難な場合において、給水配管の略全長にわたって既設の水道管を例えば地中や壁内から露出し、漏水箇所を探し出すという作業を行う必要がなくなる。その結果、給水配管の改修工事の時間を短縮することができるとともに、工事費の低減を図ることができる。
【０００９】
給水配管の素材は任意である。例えば、各種の金属や各種の合成樹脂を採用することができる。
既設の給水配管としては、少なくとも一部が地中に埋まった屋外用の埋設配管か、少なくとも一部が屋内の壁、床または天井などの内部に埋め込まれた埋め込み配管とした方が、本考案の効果が顕著となり好ましい。
給水配管を通って吐出水栓から吐出されるものは、水（水道水）でもお湯でもよい。
吐出水栓の種類は限定されない。例えば、庭や公園に立設される水栓柱に用いられる屋外用の吐出水栓でも、キッチンやバスルームなどに設置される屋内用の吐出水栓でもよい。また、吐出水栓は単吐出水栓でも、水とお湯とを混ぜ合わせる混合吐出水栓でもよい。
【００１０】
ここでいうプラグ付水栓継手とは、水漏れした既設の給水配管を止水プラグにより塞いで放置し、別の給水配管を新設する吐出水栓用配管の改修工事の際に使用される特殊なジョイントである。
プラグ付水栓継手の素材としては、例えば各種の金属、各種の合成樹脂を採用することができる。
プラグ付水栓継手の種類としては、例えばエルボ、ソケット、チーズなどを採用することができ、その開口の数は、少なくとも水栓側開口と配管側開口とを含む２つ以上である。
プラグ付水栓継手は胴部を本体とし、胴部の一端部と他端部とには、外ねじと内ねじとのうち、何れかが任意に形成される。
プラグ付水栓継手の胴部における突設位置は任意である。
止水プラグの形状、サイズおよび形成方向（長さ方向の向き）は、塞がれる既設の水栓継手の開口部に応じて適宜変更される。
止水プラグは、胴部に分離不能に突設されても、着脱自在に突設されてもよい。
【００１１】
また、請求項２に記載の考案は、前記プラグ付水栓継手は、前記胴部の屈曲部に前記止水プラグが突設されたエルボ、前記胴部の長さ方向の中間部に前記止水プラグが突設されたソケット、前記胴部が有する３つの端部の何れか１つの開口に、前記止水プラグの一端部が挿着されたチーズのうち、何れか１つである請求項１に記載のプラグ付水栓継手である。
チーズ型のプラグ付水栓継手において、胴部の３つの端部の端部のうち、何れか１つの端部の開口に、止水プラグの一端部を挿着する方法としては、例えば止水プラグをブラインドニップル（ｂｌｉｎｄ  ｎｉｐｐｌｅ）とし、これをねじ込む方法などを採用することができる。止水プラグは胴部に固定されても、着脱自在でもよい。
【考案の効果】
【００１２】
請求項１に記載の考案によれば、給水配管の漏水箇所の特定が困難な場合、漏水した給水配管を放置して別の給水配管を新設する。その際、吐出水栓を取り外した水栓継手の開口をプラグ付水栓継手の止水プラグによって塞ぎ、この水栓継手から取り外した吐出水栓を胴部の水栓側開口に連通するとともに、新設の給水配管を胴部の配管側開口に連通する。
これにより、給水配管の漏水箇所の特定が困難な場合において、給水配管の略全長にわたって既設の水道管を露出し、漏水箇所を探し出すという作業を行う必要がなく、別の給水配管を新設すればよいことから、給水配管の改修工事の時間の短縮を図ることができ、その結果、工事費の低減を図ることができる。
【図面の簡単な説明】
【００１３】
【図１】この考案の実施例１に係るプラグ付水栓継手の斜視図である。
【図２】この考案の実施例１に係るプラグ付水栓継手の使用状態の縦断面図である。
【図３】この考案の実施例１に係る別のプラグ付水栓継手の斜視図である。
【図４】この考案の実施例１に係るまた別のプラグ付水栓継手の縦断面図である。
【考案を実施するための形態】
【００１４】
以下、この考案の実施例を具体的に説明する。ここでは、屋外設置される水栓柱に適用されるエルボ型のプラグ付水栓継手を例とする。
【実施例】
【００１５】
図１および図２において、１０はこの考案の実施例１に係るプラグ付水栓継手で、このプラグ付水栓継手１０は、家庭の庭に設置された水栓柱１１において、地中に埋設されて水漏れを起こした給水配管１２を放置し、かつ別の給水配管１２Ａを新設する配管改修工事の際に利用される。
以下、これらの構成体を具体的に説明する。
水栓柱１１は、地中に下端部が埋め込まれる平面視して四角形の筒状支柱１３と、筒状支柱１３の内部空間に収納される垂直パイプ１４と、筒状支柱１３の上端部の側面から突出される吐出水栓１５と、垂直パイプ１４の上端部と吐出水栓１５とを連通する水栓継手１６と、地中に埋設されて垂直パイプ１４に水を導入する前記給水配管１２と、垂直パイプ１４の下端部と給水配管１２とを連通する配管継手１７とを備えている。
【００１６】
筒状支柱１３は、合成樹脂からなる平面視して四角形の筒ケースである。
吐出水栓１５は、住宅に引き込まれた水道水を吐出する単吐出水栓である。
吐出水栓１５は、胴体部の上部に水の吐出量を調節するハンドル１８が設けられ、胴体部の先端部（下流部）に吐出パイプ１９が連通されている。
水栓継手１６は金属製のエルボで、その一端部の開口が、筒状支柱１３の上端部の一側面に形成された連通穴１３ａに開口面を揃えて配置されている。
垂直パイプ１４は、筒状支柱１３と略同じ長さの垂直に延びた金属パイプである。なお、この垂直パイプ１４は、配管継手１７により給水配管１２と連通されるため、給水配管１２の延長された一部とも言える。
給水配管１２は、地中に埋め込まれ、かつ住宅に引かれた水道配管と元部が連通した長尺な金属パイプである。
配管継手１７は、金属製のエルボからなり、給水配管１２の先端部の開口と垂直パイプ１４の下端部の開口とを連通している。
【００１７】
次に、図１を参照して、プラグ付水栓継手１０を説明する。
プラグ付水栓継手１０は、エルボ型の金属ジョイントで、逆Ｌ字に屈曲した胴部Ａを本体とする。
胴部Ａの一端部には、水栓継手１６から取り外した吐出水栓１５が連通される水栓側開口１０ａが形成され、胴部Ａの他端部には、新設の（別の）給水配管１２Ａが連通される配管側開口１０ｂが形成されている。
胴部Ａの一端部には、吐出水栓１５の元部から突設した導水部１５ａの外ねじ１５ｂに螺合する内ねじ１０ｃが形成されている。また、胴部Ａの他端部には、別の垂直パイプ１４Ａの上端部の外周面に形成された外ねじ１４ａに螺合する別の内ねじ１０ｄが形成されている。
【００１８】
さらに、胴部Ａの屈曲部の外側面（図１中、曲率半径が大きい側の面）には、吐出水栓１５が取り外された既設の水栓継手１６の開口を塞ぐ止水プラグ２０が、胴部Ａと同一素材でかつ一体的に突設されている。止水プラグ２０の長さ方向は、胴部Ａの一端部の軸線の延長方向である。止水プラグ２０の先部には、既設の水栓継手１６の一端部の内周面に形成された内ねじ１６ａに螺合する外ねじ２０ａが形成されている。
なお、プラグ付水栓継手１０は、このエルボ型のものに限らず、例えば図３に示す軸線が直線である胴部Ｂの両端部に内ねじ１０ｅが形成されたソケット型のプラグ付水栓継手１０Ａでも、図４に示すＴ字形をした胴部Ｃの３つの端部にそれぞれ内ねじ１０ｆが形成されたチーズ型のプラグ付水栓継手１０Ｂでもよい。チーズ型のプラグ付水栓継手１０Ｂの場合には、あらかじめ胴部Ｃに存在する３つの端部のうち、何れか１つの端部の開口に、両端部に外ねじ２１ａが形成されたブラインドニップル（止水プラグ）２１の一端部をねじ込んで使用する。
【００１９】
次に、図１および図２を参照して、この考案の実施例１に係るプラグ付水栓継手１０を用いた水栓柱１１の配管改修工事を説明する。
給水配管１２が漏水し、かつその漏水箇所が特定できない場合には、プラグ付水栓継手１０を使用し、漏水した既設の給水配管１２を放置（埋め殺し）して、別の給水配管１２Ａを新設する水栓柱１１の配管改修工事を行う。
具体的には、まず別の給水配管１２Ａを地面に沿わせて（または地中に埋めて）新設するとともに、水栓柱１１の水栓継手１６から吐出水栓１５を取り外す。これにより、筒状支柱１３の上端部の連通穴１３ａから、既設の水栓継手１６の一端部の開口が露出する。
その後、筒状支柱１３の一側面に沿って別の垂直パイプ１４Ａを立設し、垂直パイプ１４Ａの下端部と給水配管１２Ａの先端部（下流部）とを、別の配管継手１７Ａによって連通する。
【００２０】
次に、既設の水栓継手１６の開口に、プラグ付水栓継手１０の止水プラグ２０をねじ込むことでこれを塞ぐ。その後、取り外した吐出水栓１５の導水部１５ａを、胴部Ａの水栓側開口１０ａにねじ込み、吐出水栓１５とプラグ付水栓継手１０とを連通する。また、胴部Ａの配管側開口１０ｂに、新設の垂直パイプ１４Ａの上端部をねじ込むことによって、プラグ付水栓継手１０、垂直パイプ１４Ａおよび別の配管継手１７Ａを介して、吐出水栓１５と新設の給水配管１２Ａとを連通する。
これにより、既設の給水配管１２の漏水箇所が特定困難な場合であっても、従来行われていた給水配管１２の略全長にわたって水道管を掘り起こし（露出し）、漏水箇所を探し出すという作業が不要となる。その結果、給水配管１２の改修工事の時間を短縮することができ、その結果、工事費の低減を図ることができる。
【産業上の利用可能性】
【００２１】
この考案のプラグ付水栓継手は、吐出水栓用の給水配管に水漏れが発生したとき、その配管の改修工事の技術として有用である。
【符号の説明】
【００２２】
１０，１０Ａ，１０Ｂ  プラグ付水栓継手、
１０ａ  水栓側開口、
１０ｂ  配管側開口、
１２  給水配管、
１２Ａ  別の給水配管、
１５  吐出水栓、
１６  水栓継手、
２０，２１  止水プラグ、
Ａ，Ｂ，Ｃ  胴部。
【図１】
0003198278.tif 000003
【図２】
0003198278.tif 000004
【図３】
0003198278.tif 000005
【図４】
0003198278.tif 000006